(57)【特許請求の範囲】
【請求項１】
デッキの裏面にＩＣタグ収容半体が一体成形された、一対のスキッドを溶着することにより、上方に位置するスキッドに一体成形されたＩＣタグ収容半体と下方に位置するスキッドに一体成形されたＩＣタグ収容半体とにより、ＩＣタグが取り付けられるＩＣタグ収容部が形成されている合成樹脂製パレットにおいて、下方に位置するＩＣタグ収容半体のＩＣタグ垂直端部挿入縦長溝を構成する幅広板部の内面と連結板部の内面との間隔が、ＩＣタグ垂直端部挿入縦長溝の中央部の間隔より広く形成されていることを特徴とする合成樹脂製パレット。
【請求項２】
上方に位置するＩＣタグ収容半体の下端から排出されたＩＣタグの下端部が、下方に位置するＩＣタグ収容半体に形成された案内用縦リブの案内傾斜面に沿って下降するように構成されていることを特徴とする請求項１に記載の合成樹脂製パレット。
【発明の詳細な説明】
【技術分野】
【０００１】
本発明は、カード状のＩＣタグが取り付け可能な合成樹脂製パレットに関するものであり、ＩＣタグには、合成樹脂製パレットのサイズや材質や所有者等のパレット自体に関する情報及びパレットに載置される物品の種類や個数や行き先等の物品自体に関する情報等の種々の情報が蓄積されるＩＣチップや電池やアンテナ等が収容されている。
【背景技術】
【０００２】
従来、ＩＣタグの合成樹脂製パレットへの取り付けに際しては、ＩＣタグホルダーを、先ず最初に、合成樹脂製パレットに取り付け、次いで、合成樹脂製パレットに取り付けられたＩＣタグホルダーに、ＩＣタグを取り付けるように構成されている。このような合成樹脂製パレットは、一例として、特許文献１に開示されている。
【０００３】
また、桁の側壁に形成された保持部材に、ＩＣタグを取り付けるように構成された合成樹脂製パレットが、特許文献２に開示されている。
【０００４】
【特許文献１】特開平９−２５４９８３号公報
【特許文献２】特開２００４−１７５４２０号公報
【発明の開示】
【発明が解決しようとする課題】
【０００５】
上述した合成樹脂製パレットにおいては、ＩＣタグを、ＩＣタグホルダーを介して、合成樹脂製パレットに取り付けるために、ＩＣタグホルダーの合成樹脂製パレットへの取り付けに、時間と労力がかかり、ＩＣタグの合成樹脂製パレットへの取り付け作業の作業性が悪いという問題や、ＩＣタグホルダーの製造コストにより、合成樹脂製パレットの製造コストがアップするという問題があった。
【０００６】
また、ＩＣタグホルダーが、デッキを構成する桟の間に取り付けられているために、デッキに載置された物品が、桟の間に落ち込んだ際に、ＩＣタグホルダーが、物品に押されて外れたり、或いは、損傷するという問題があった。
【０００７】
更に、桁の側壁に形成された保持部材に、ＩＣタグを取り付けるように構成されている従来の合成樹脂製パレットにおいては、ＩＣタグが剥き出しなっており、従って、ＩＣタグが損傷するという問題があった。
【０００８】
本発明の目的は、上述した従来のＩＣタグホルダー付きパレットが有する課題を解決することにある。
【課題を解決するための手段】
【０００９】
本発明は、上述した目的を達成するために、第一には、デッキの裏面にＩＣタグ収容半体が一体成形された、一対のスキッドを溶着することにより、上方に位置するスキッドに一体成形されたＩＣタグ収容半体と下方に位置するスキッドに一体成形されたＩＣタグ収容半体とにより、ＩＣタグが取り付けられるＩＣタグ収容部が形成されている合成樹脂製パレットにおいて、下方に位置するＩＣタグ収容半体のＩＣタグ垂直端部挿入縦長溝を構成する幅広板部の内面と連結板部の内面との間隔を、ＩＣタグ垂直端部挿入縦長溝の中央部の間隔より広く形成したものであり、第２には、上方に位置するＩＣタグ収容半体の下端から排出されたＩＣタグの下端部が、下方に位置するＩＣタグ収容半体に形成された案内用縦リブの案内傾斜面に沿って下降するように構成したものである。
【発明の効果】
【００１０】
デッキの裏面にＩＣタグ収容半体が一体成形された、一対のスキッドを溶着することにより、上方に位置するスキッドに一体成形されたＩＣタグ収容半体と下方に位置するスキッドに一体成形されたＩＣタグ収容半体とにより、ＩＣタグが取り付けられるＩＣタグ収容部を形成したので、従来の合成樹脂製パレットのように、ＩＣタグホルダーを、別途、製造し、合成樹脂製パレットに取り付ける必要がなく、従って、合成樹脂製パレットへのＩＣタグホルダーの取り付け作業に要する時間と労力を省略することができ、ひいては、合成樹脂製パレットの製造コストを低減することができる。
【００１１】
下方に位置するＩＣタグ収容半体のＩＣタグ垂直端部挿入縦長溝を構成する幅広板部の内面と連結板部の内面との間隔を、ＩＣタグ垂直端部挿入縦長溝の中央部の間隔より広く構成したので、上方に位置するＩＣタグ収容半体の下端から排出されたＩＣタグの下端部を、下方に位置するＩＣタグ収容半体のＩＣタグ垂直端部挿入縦長溝に、確実に、且つ、容易に挿入することができる。
【００１２】
上方に位置するＩＣタグ収容半体の下端から排出されたＩＣタグの下端部が、下方に位置するＩＣタグ収容半体に形成された案内用縦リブの案内傾斜面に沿って下降するように構成したので、上方に位置するＩＣタグ収容半体の下端から排出されたＩＣタグの下端部を、下方に位置するＩＣタグ収容半体のＩＣタグ垂直端部挿入縦長溝に、より確実に、且つ、より容易に挿入することができる。
【実施例】
【００１３】
以下に、本発明の実施例について説明するが、本発明の趣旨を越えない限り、何ら、本実施例に限定されるものではない。
【００１４】
先ず最初に、図１及び図２を用いて、合成樹脂製パレットＰ１の全体構成について概説する。
【００１５】
合成樹脂製パレットＰ１は、射出成形されたスキッドＰ１’の桁部を溶着することにより製造されている。
【００１６】
一例として、スキッドＰ１’は、物品が載置されるデッキｐ１と、スキッドＰ１’の四隅に形成された隅桁部ｐ２’と、隅桁部ｐ２’の中間に形成された中間桁部ｐ３’と、デッキｐ１の裏面中央部に形成された中央桁部ｐ４’とから構成されている。そして、一対のスキッドＰ１’の隅桁部ｐ２’の先端部を溶融するとともに、その先端部を突き合わせ溶着することにより、隅桁ｐ２が形成され、また、一対のスキッドＰ１’の中間桁部ｐ３’の先端部を溶融するとともに、その先端部を突き合わ溶着することにより、中間桁ｐ３が形成され、更に、一対のスキッドＰ１’の中央桁部ｐ４’の先端部を溶融するとともに、その先端部を突き合わせ溶着することにより、中央桁ｐ４が形成され、合成樹脂製パレットＰ１が製造されることになる。
【００１７】
次に、スキッドＰ１’は、全て同一形状に成形されているので、以下においては、１つのスキッドＰ１’を例に、スキッドＰ１’と一体成形されたＩＣタグ収容半体Ｈ１’について説明する。
【００１８】
ＩＣタグ収容半体Ｈ１’は、スキッドＰ１’のデッキｐ１の裏面に垂設されており、全体として、略角筒状に形成されている。
【００１９】
１は、デッキｐ１の裏面に垂設された方形状の幅広板部であり、２は、幅広板部１と対向するように、且つ、幅広板部１と平行に、デッキｐ１の裏面に垂設された方形状の幅狭板部である。幅広板部１の幅は、幅狭板部２の幅より広く形成されている。
【００２０】
幅広板部１の両垂直端には、幅広板部１に対して垂直で、且つ、幅狭板部２方向に延在する、幅広板部１側の相対する側板部３が形成されており、同様に、幅狭板部２の両垂直端には、幅狭板部２に対して垂直で、且つ、幅広板部１方向に延在する、幅狭板部２側の相対する側板部４が形成されている。また、幅広板部１側の側板部３と幅狭板部２側の側板部４とは、幅広板部１及び幅狭板部２に平行な連結板部５により連結されている。
【００２１】
ＩＣタグ収容半体Ｈ１’を構成する幅広板部１、幅狭板部２、幅広板部１側の相対する側板部３、幅狭板部２側の相対する側板部４及び連結板部５により囲まれたデッキｐ１の領域には、ＩＣタグ収容半体Ｈ１’の内部空間の水平断面と同一形状のＩＣタグ挿入口ｐ１ａが形成されている。そして、ＩＣタグ収容半体Ｈ１’及びＩＣタグ挿入口ｐ１ａは、幅広板部１に対して垂直な中心垂直面に対して、面対象となるように形成されている。
【００２２】
デッキｐ１の裏面に垂設されたＩＣタグ収容半体Ｈ１’には、幅広板部１の垂直両端部付近と幅広板部１側の相対する側板部３と連結板部５とにより囲まれた、ＩＣタグＴの垂直端部ｔ１が挿入されるＩＣタグ垂直端部挿入縦長溝ｈ１が、相対するように形成されている。
【００２３】
また、図６等に示されているように、幅広板部１の内面（幅狭板部２と相対する面）１ａは、内面１ａの略中央水平線１ｂからデッキｐ１に向かって傾斜したデッキ側傾斜面１ａ１と、内面１ａの略中央水平線１ｂから幅広板部１の下端に向かって傾斜した下端側傾斜面１ａ２とから形成されている。また、略中央水平線１ｂ付近の内面１ａには、略角柱状の固定ブロック６が形成されており、固定ブロック６は、幅狭板部２と相対する垂直面６ａに形成された、垂直面６ａから内面１ａに向かう案内傾斜面６ｂと、デッキｐ１から遠い方の水平面（下面）６ｃと、相対する垂直側面６ｄとを有している。
【００２４】
また、連結板部５の内面（幅広板部１と相対する面）５ａは、内面５ａの略中央水平線５ｂからデッキｐ１に向かって傾斜したデッキ側傾斜面５ａ１と、内面５ａの略中央水平線５ｂから連結板部５の下端に向かって傾斜した下端側傾斜面５ａ２とから形成されている。
【００２５】
幅広板部１の内面１ａの略中央水平線１ｂと連結板部５の内面５ａの略中央水平線５ｂとは、相対するように形成されており、幅広板部１の略中央水平線１ｂと連結板部５の略中央水平線５ｂとの間の間隔は、ＩＣタグＴの厚さｔ２より、若干、広く形成されている。そして、幅広板部１の内面１ａを構成するデッキ側傾斜面１ａ１と連結板部５の内面５ａを構成するデッキ側傾斜面５ａ１との間隙は、略中央水平線１ｂ、５ｂからデッキｐ１に向かうに従って、徐々に広くなるように形成されており、同様に、幅広板部１の内面１ａを構成する下端側傾斜面１ａ２と連結板部５の内面５ａを構成する下端側傾斜面５ａ２との間隙は、略中央水平線１ｂ、５ｂからＩＣタグ収容半体Ｈ１’の下端、換言すれば、幅広板部１や幅狭板部２の下端に向かうに従って、徐々に広くなるように形成されている。
【００２６】
７は、幅広板部１の外面１ｃに形成された、デッキｐ１の裏面から下方に延在する案内用縦リブであり、案内用縦リブ７の先端は、幅広板部１の下端を越えて延在しており、案内用縦リブ７の先端部には、幅広板部１の内面１ａから外面１ｃ側に向かって傾斜した案内傾斜面７ａが形成されている。このような案内用縦リブ７は、幅広板部１の外面１ｃの幅方向に複数本、形成することができる。なお、本実施例には、２本の案内用縦リブ７が形成されている例が示されている。また、このような案内用縦リブ７を形成することにより、デッキｐ１の裏面に垂設されたＩＣタグ収容半体Ｈ１’を補強することができる。
【００２７】
幅広板部１、幅狭板部２、幅広板部１側の相対する側板部３、幅狭板部２側の相対する側板部４及び連結板部５により囲まれたＩＣタグ収容半体Ｈ１’の内部空間及び該内部空間に連通するＩＣタグ挿入口ｐ１ａは、作業者の手の指が挿入可能な大きさに形成されている。
【００２８】
次に、図１及び図８を用いて、上述したＩＣタグ挿入口ｐ１ａ及びＩＣタグ収容半体Ｈ１’の配置について説明する。
【００２９】
Ｌ１は、デッキｐ１の中心点ｐ０を通るとともに、デッキｐ１の一方の相対する辺ｐ４に平行な中心線であり、Ｌ２は、デッキｐ１の中心点ｐ０を通るとともに、デッキｐ１のもう一方の相対する辺ｐ６に平行な中心線である。ＩＣタグ収容半体Ｈ１’及びＩＣタグ収容半体Ｈ１’の内部空間の水平断面と同一形状のＩＣタグ挿入口ｐ１ａは、一方の中心線Ｌ１ともう一方の中心線Ｌ２と一方の相対する辺ｐ５ともう一方の相対する辺ｐ６とにより区画される４つの区画領域Ａ１〜Ａ４のデッキｐ１の中心点ｐ０付近に、それぞれ形成されている。
【００３０】
４つの区画領域Ａ１〜Ａ４にそれぞれ形成されたＩＣタグ収容半体Ｈ１’は、いずれも、ＩＣタグ収容半体Ｈ１’を構成する幅広板部１及び幅狭板部２が、中心線Ｌ１、Ｌ２に対して、４５度、傾斜するように配置されており、また、中心点ｐ０を通るとともに、一方の中心線Ｌ１及び該中心線Ｌ１と直交するもう一方の中心線Ｌ２に対して、４５度、傾斜した対角線Ｌ３が、幅広板部１及び幅狭板部２の垂直中心線を通るように配置されており、更に、中心点ｐ０から、上述した４つの区画領域Ａ１〜Ａ４にそれぞれ形成されたＩＣタグ収容半体Ｈ１’の幅狭板部２までの距離が同じになるように配置されている。
【００３１】
４つの区画領域Ａ１〜Ａ４にそれぞれ形成されるＩＣタグ収容半体Ｈ１’を、上述したように配置することにより、一対のスキッドＰ１’同士を、溶着する際に、デッキｐ１の一方の相対する辺ｐ５同士、及び、デッキｐ１のもう一方の相対する辺ｐ６同士を位置合わせするだけで、ＩＣタグ収容半体Ｈ１’の位置を考慮することなく、上方に位置するスキッドＰ１’と下方に位置するスキッドＰ１’にそれぞれ形成されたＩＣタグ収容半体Ｈ１’を、平面的に、一致させることができるので、一対のスキッドＰ１’の溶着作業の作業性が向上することになる。
【００３２】
勿論、スキッドＰ１’のデッキｐ１の適当な一箇所のみに、ＩＣタグ収容半体Ｈ１’を形成することもできるが、このような場合には、一対のスキッドＰ１’を溶着する際には、上方に位置するスキッドＰ１’のＩＣタグ収容半体Ｈ１’と下方に位置するスキッドＰ１’のＩＣタグ収容半体Ｈ１’とが、平面的に見て、重合するように、上方に位置するスキッドＰ１’と下方に位置するスキッドＰ１’との位置合わせをする必要がある。
【００３３】
一対のスキッドＰ１’を、上述したように、溶着して、合成樹脂製パレットＰ１を製造した際には、平面的に見て、上方に位置するスキッドＰ１’に形成されたＩＣタグ収容半体Ｈ１’と下方に位置するスキッドＰ１’に形成されたＩＣタグ収容半体Ｈ１’とが、重合するようように構成されており、上方に位置するスキッドＰ１’に形成されたＩＣタグ収容半体Ｈ１’と下方に位置するスキッドＰ１’に形成されたＩＣタグ収容半体Ｈ１’とにより、ＩＣタグ収容部Ｈ１が形成されている。そして、上方に位置するスキッドＰ１’に形成されたＩＣタグ収容半体Ｈ１’と下方に位置するスキッドＰ１’に形成されたＩＣタグ収容半体Ｈ１’との間には、所定の間隙が形成されるように構成されている。
【００３４】
一対のスキッドＰ１’を溶着する際には、上方に位置するスキッドＰ１’と下方に位置するスキッドＰ１’とを、桁部（隅桁部ｐ２’中間桁部ｐ３’、中央桁部ｐ４’）の先端同士が、対向するように、所定の間隙をおいて、上下方向に配置するとともに、上方に位置するスキッドＰ１’と下方に位置するスキッドＰ１’との間に、熱盤を挿入し、次いで、上方に位置するスキッドＰ１’の桁部の先端部及び下方に位置するスキッドＰ１’の桁部の先端部を、それぞれ、熱盤に接触させて溶融し、その後、上方に位置するスキッドＰ１’と下方に位置するスキッドＰ１’との間から、熱盤を排出するとともに、上方に位置するスキッドＰ１’の桁部の溶融状態の先端部と下方に位置するスキッドＰ１’の桁部の溶融状態の先端部とを接触させて溶着させることにより、合成樹脂製パレットＰ１が製造されることになる。
【００３５】
本実施例においては、合成樹脂製パレットＰ１の製造過程において、上方に位置するスキッドＰ１’と下方に位置するスキッドＰ１’との間に挿入された熱盤に、上方に位置するスキッドＰ１’の桁部の先端部及び下方に位置するスキッドＰ１’の桁部の先端部が接触する際には、上方に位置するスキッドＰ１’に形成されたＩＣタグ収容半体Ｈ１’の下端及び下方に位置するスキッドＰ１’に形成されたＩＣタグ収容半体Ｈ１’の上端が、いずれも、熱盤に接触しないように、上方に位置するスキッドＰ１’に形成されたＩＣタグ収容半体Ｈ１’と下方に位置するスキッドＰ１’に形成されたＩＣタグ収容半体Ｈ１’との間には、所定の間隙が形成されるように構成されている。
【００３６】
上方に位置するスキッドＰ１’に形成されたＩＣタグ収容半体Ｈ１’の下端及び下方に位置するスキッドＰ１’に形成されたＩＣタグ収容半体Ｈ１’の上端を、熱盤に接触させて溶融し、上述した桁部と同様に、上方に位置するスキッドＰ１’に形成されたＩＣタグ収容半体Ｈ１’の溶融状態の下端部と下方に位置するスキッドＰ１’に形成されたＩＣタグ収容半体Ｈ１’の溶融状態の上端部とを接触させて溶着させることにより、合成樹脂製パレットＰ１を製造することもできるが、上方に位置するスキッドＰ１’に形成されたＩＣタグ収容半体Ｈ１’の溶融状態の下端部と下方に位置するスキッドＰ１’に形成されたＩＣタグ収容半体Ｈ１’の溶融状態の上端部とを接触させた際に、溶融樹脂が、ＩＣタグ収容半体Ｈ１’の内部に、ばり状に張り出し、一対のＩＣタグ収容半体Ｈ１’からなるＩＣタグ収容部Ｈ１内へのＩＣタグＴの挿入の障害になるという問題があるので、上述したように、上方に位置するスキッドＰ１’に形成されたＩＣタグ収容半体Ｈ１’の下端及び下方に位置するスキッドＰ１’に形成されたＩＣタグ収容半体Ｈ１’の上端が、いずれも、熱盤に接触しないように、上方に位置するスキッドＰ１’に形成されたＩＣタグ収容半体Ｈ１’と下方に位置するスキッドＰ１’に形成されたＩＣタグ収容半体Ｈ１’との間には、所定の間隙が形成されるように構成されている。
【００３７】
合成樹脂製パレットＰ１に形成された、一対のＩＣタグ収容半体Ｈ１’からなるＩＣタグ収容部Ｈ１へ、カード状のＩＣタグＴを収容するには、図７に示されているように、ＩＣタグ挿入口ｐ１ａ及びＩＣタグ収容部Ｈ１の上方に、ＩＣタグＴを配置するとともに、ＩＣタグＴの下端部ｔ３を、ＩＣタグ挿入口ｐ１ａに挿入し、次いで、ＩＣタグＴの両垂直端部ｔ１の下部を、一対のＩＣタグ収容半体Ｈ１’のうちの上方に位置するＩＣタグ収容半体Ｈ１’の幅広板部１の垂直両端部付近と幅広板部１側の相対する側板部３と連結板部５とにより囲まれたＩＣタグ垂直端部挿入縦長溝ｈ１に挿入し、更に、ＩＣタグＴを下降させると、ＩＣタグＴの下端部ｔ３は、上方に位置するＩＣタグ収容半体Ｈ１’の下端から排出されることになる。
【００３８】
上方に位置するＩＣタグ収容半体Ｈ１’内へのＩＣタグＴの挿入の際に、ＩＣタグＴの下端中央部が、上方に位置するＩＣタグ収容半体Ｈ１’の幅広板部１の内面１ａに形成された固定ブロック６に当接することになるが、固定ブロック６の幅狭板部２と相対する垂直面６ａには、垂直面６ａから内面１ａに向かう案内傾斜面６ｂが形成されているので、ＩＣタグＴの下端中央部は、案内傾斜面６ｂに沿って円滑に下降することができ、ＩＣタグＴの下降が、固定ブロック６によって阻止されることはない。ＩＣタグＴが、固定ブロック６に当接している間は、ＩＣタグＴは、幅狭板部２方向に湾曲することになるが、ＩＣタグＴが湾曲しても、ＩＣタグＴの両垂直端部ｔ１が、ＩＣタグ垂直端部挿入縦長溝ｈ１から抜け出ないように、ＩＣタグＴの幅やＩＣタグ垂直端部挿入縦長溝ｈ１の深さが、適宜、設定されている。
【００３９】
上方に位置するＩＣタグ収容半体Ｈ１’の下端から排出されたＩＣタグＴの下端部ｔ３は、下方に位置するＩＣタグ収容半体Ｈ１’のＩＣタグ垂直端部挿入縦長溝ｈ１に挿入されることになるが、上述したように、幅広板部１の内面１ａを構成する下端側傾斜面１ａ２と連結板部５の内面５ａを構成する下端側傾斜面５ａ２との間隙は、略中央水平線１ｂ、５ｂからＩＣタグ収容半体Ｈ１’の下端に向かうに従って、徐々に広くなるように形成されているので、換言すれば、下方に位置するＩＣタグ収容半体Ｈ１’のＩＣタグ垂直端部挿入縦長溝ｈ１を構成する幅広板部１の内面１ａと連結板部５の内面５ａとの間隔は、ＩＣタグ垂直端部挿入縦長溝ｈ１の中央部の間隔より広いので、上方に位置するＩＣタグ収容半体Ｈ１’の下端から排出されたＩＣタグＴの下端部ｔ３は、下方に位置するＩＣタグ収容半体Ｈ１’のＩＣタグ垂直端部挿入縦長溝ｈ１に、確実に、且つ、容易に挿入されることになる。
【００４０】
また、上方に位置するＩＣタグ収容半体Ｈ１’の下端から排出されたＩＣタグＴの下端部ｔ３は、下方に位置するＩＣタグ収容半体Ｈ１’の幅広板部１の外面１ｃに形成された案内用縦リブ７の先端に形成された案内傾斜面７ａに沿って下降することになり、従って、上方に位置するＩＣタグ収容半体Ｈ１’の下端から排出されたＩＣタグＴの下端部ｔ３は、下方に位置するＩＣタグ収容半体Ｈ１’のＩＣタグ垂直端部挿入縦長溝ｈ１に、より確実に、且つ、より容易に挿入されることになる。
【００４１】
その後、下方に位置するＩＣタグ収容半体Ｈ１’のＩＣタグ垂直端部挿入縦長溝ｈ１に、その両垂直端部ｔ１が挿入されたＩＣタグＴの下端部ｔ３は、下方に位置するＩＣタグ収容半体Ｈ１’の幅広板部１の内面１ａに形成された固定ブロック６に当接することになるが、下方に位置するＩＣタグ収容半体Ｈ１’に形成された固定ブロック６は、デッキｐ１から遠い方の水平面６ｃが上方に位置しているので、図９及び図１０に示されているように、ＩＣタグＴの下端部ｔ３は、水平面６ｃに当接し、それ以上の下降が阻止されることになる。このように、ＩＣタグＴの下端部ｔ３が、下方に位置するＩＣタグ収容半体Ｈ１’に形成された固定ブロック６の水平面６ｃに当接した際には、ＩＣタグＴの上端部ｔ４は、上方に位置するＩＣタグ収容半体Ｈ１’に形成された固定ブロック６から外れて、水平面６ｃの直下に位置するように構成されている。
【００４２】
上述したように、ＩＣタグＴは、その両垂直端部ｔ１の上端部が、ＩＣタグ収容部Ｈ１を構成する一対のＩＣタグ収容半体Ｈ１’のうちの上方に位置するＩＣタグ収容半体Ｈ１’のＩＣタグ垂直端部挿入縦長溝ｈ１に挿入され、また、両垂直端部ｔ１の下端部が、ＩＣタグ収容部Ｈ１を構成する一対のＩＣタグ収容半体Ｈ１’のうちの下方に位置するＩＣタグ収容半体Ｈ１’のＩＣタグ垂直端部挿入縦長溝ｈ１に挿入され、更に、ＩＣタグＴの下端が、下方に位置するＩＣタグ収容半体Ｈ１’に形成された固定ブロック６の水平面６ｃに載置されるとともに、ＩＣタグＴの上端が、上方に位置するＩＣタグ収容半体Ｈ１’に形成された固定ブロック６の水平面６ｃの直下に位置するように、ＩＣタグ収容部Ｈ１に取り付けられることになる。
【００４３】
ＩＣタグ収容部Ｈ１に取り付けられたＩＣタグＴを取り外すには、上方に位置するＩＣタグ収容半体Ｈ１’のＩＣタグ挿入口ｐ１ａからＩＣタグ収容半体Ｈ１’の内部空間に指を入れて、指を、幅広板部１とＩＣタグＴの間隙に挿入するとともに、ＩＣタグＴの上端中央部付近を、幅狭板部２方向に湾曲させて、ＩＣタグＴの上端部ｔ４を、上方に位置するＩＣタグ収容半体Ｈ１’に形成された固定ブロック６の水平面６ｃから外し、その後、ＩＣタグＴを、上方に引き抜くことにより、ＩＣタグＴを、ＩＣタグ収容部Ｈ１から取り外すことができる。
【００４４】
なお、ＩＣタグ収容部Ｈ１を構成する一対のＩＣタグ収容半体Ｈ１’が、合成樹脂製パレットを構成するスキッドＰ１’と一体成形されているので、ＩＣタグホルダーを、別途、製造し、合成樹脂製パレットに取り付ける必要がないので、合成樹脂製パレットへのＩＣタグホルダーの取り付け作業に要する時間と労力を省略することができ、ひいては、合成樹脂製パレットの製造コストを低減することができる。
【００４５】
また、ＩＣタグ収容部Ｈ１を構成する一対のＩＣタグ収容半体Ｈ１’が、合成樹脂製パレットを構成するスキッドＰ１’と一体成形されているので、従来の合成樹脂製パレットのように、ＩＣタグホルダーが、合成樹脂製パレットから外れるようなことがない。
【００４６】
次に、図１１〜図１４を用いて、別の実施例について説明する。
【００４７】
この実施例は、上述した４つの区画領域Ａ１〜Ａ４にそれぞれ形成された同一形状の４つのＩＣタグ収容半体Ｈ１’のうち、一方の対角線Ｌ３上に位置する相対するＩＣタグ収容半体Ｈ１’を、以下のようなＩＣタグ収容半体Ｈ２’としたものである。
【００４８】
ＩＣタグ収容半体Ｈ２’は、デッキｐ１の裏面に垂設された偏平状の角筒体１０を有しており、角筒部１０は、相対する幅広板部１０ａと相対する幅狭板部１０ｂとから構成されており、角筒体１０内の中央部には、相対する幅広板部１０ａを架橋する停止ブロック１１が形成されている。また、ＩＣタグ収容半体Ｈ２’の角筒部１０を構成する相対する幅広板部１０ａと相対する幅狭板部１０ｂにより囲まれたデッキｐ１の領域には、ＩＣタグ収容半体Ｈ２’の内部空間の水平断面と同一形状のＩＣタグ挿入口ｐ１ｂが形成されている。
【００４９】
角筒体１０を構成する相対する幅広板部１０ａのうちの一方の幅広板部１０ａの外面に、上述した実施例のＩＣタグ収容半体Ｈ１’を構成する幅広板部１の外面１ｃに形成された案内用縦リブ７が形成されている点を含め、角筒体１０が形成されている以外は、上述した実施例のＩＣタグ収容半体Ｈ１’と同じであるので、その詳細な説明は省略する。
【００５０】
この実施例においては、上述した４つの区画領域Ａ１〜Ａ４のうち、デッキｐ１の中心点ｐ０を挟んで、点対象にある区画領域Ａ２と区画領域Ａ４には、上述した実施例におけるＩＣタグ収容半体Ｈ１’が形成されており、また、上述した４つの区画領域Ａ１〜Ａ４のうち、デッキｐ１の中心点ｐ０を挟んで、点対象にある区画領域Ａ１と区画領域Ａ３には、この実施例におけるＩＣタグ収容半体Ｈ２’が形成されている。
【００５１】
本実施例の合成樹脂製パレットＰ２も、上述した実施例における合成樹脂製パレットＰ１と同様に、ＩＣタグ収容半体Ｈ１’とＩＣタグ収容半体Ｈ２’が形成されているスキッドＰ２’を溶着することにより製造されることになり、上方に位置するスキッドＰ２’に形成されたＩＣタグ収容半体Ｈ１’と下方に位置するスキッドＰ２’に形成されたＩＣタグ収容半体Ｈ２’とにより、ＩＣタグ収容部Ｈ２が構成され、また、上方に位置するスキッドＰ２’に形成されたＩＣタグ収容半体Ｈ２’と下方に位置するスキッドＰ２’に形成されたＩＣタグ収容半体Ｈ１’とにより、ＩＣタグ収容部Ｈ２が構成されることになる。
【００５２】
また、合成樹脂製パレットＰ２に形成された、ＩＣタグ収容半体Ｈ１’とＩＣタグ収容半体Ｈ２’とからなるＩＣタグ収容部Ｈ２へ、カード状のＩＣタグＴを収容する場合には、上述した実施例と同様に、上方に位置するスキッドＰ２’に形成されたＩＣタグ収容半体Ｈ１’のＩＣタグ挿入口ｐ１ａ及びＩＣタグ収容部Ｈ１の上方に、ＩＣタグＴを配置するとともに、ＩＣタグＴの下端部ｔ３を、ＩＣタグ挿入口ｐ１ａに挿入し、次いで、ＩＣタグＴの両垂直端部ｔ１の下端部を、上方に位置するＩＣタグ収容半体Ｈ１’のＩＣタグ垂直端部挿入縦長溝ｈ１に挿入することになる。
【００５３】
そして、上方に位置するＩＣタグ収容半体Ｈ１’の下端から排出されたＩＣタグＴの下端部は、下方に位置するＩＣタグ収容半体Ｈ２’の幅広板部１０ａの外面に形成された案内用縦リブ７の先端に形成された案内傾斜面７ａに沿って下降し、上方に位置するＩＣタグ収容半体Ｈ１’の下端から排出されたＩＣタグＴの下端部ｔ３は、下方に位置するＩＣタグ収容半体Ｈ２’の偏平状の角筒体１０に挿入されることになる。
【００５４】
その後、下方に位置するＩＣタグ収容半体Ｈ２’の偏平状の角筒体１０に挿入されたＩＣタグＴの下端部ｔ３は、図１４に示されているように、角筒体１０の相対する幅広板部１０ａを架橋する停止ブロック１１に当接し、ＩＣタグＴは、それ以上の下降が阻止されることになる。このように、ＩＣタグＴの下端部ｔ３が、下方に位置するＩＣタグ収容半体Ｈ２’の角筒体１０内に形成された停止ブロック１１に当接した際には、ＩＣタグＴの上端部ｔ４は、上述した実施例と同様に、上方に位置するＩＣタグ収容半体Ｈ１’に形成された固定ブロック６から外れて、水平面６ｃの直下に位置するように構成されている。
【００５５】
上述したように、ＩＣタグＴは、その両垂直端部ｔ１の上端部が、ＩＣタグ収容部Ｈ１を構成する、上方に位置するＩＣタグ収容半体Ｈ１’のＩＣタグ垂直端部挿入縦長溝ｈ１に挿入され、また、ＩＣタグＴの下端部ｔ３が、下方に位置するＩＣタグ収容半体Ｈ２’の角筒体１０に挿入され、更に、ＩＣタグＴの下端部ｔ３が、下方に位置するＩＣタグ収容半体Ｈ２’の角筒体１０内に形成された停止ブロック１１に載置されるとともに、ＩＣタグＴの上端部ｔ４が、上方に位置するＩＣタグ収容半体Ｈ１’に形成された固定ブロック６の水平面６ｃの直下に位置することにより、ＩＣタグ収容部Ｈ２に取り付けられることになる。
【００５６】
なお、この実施例においては、ＩＣタグＴは、ＩＣタグ収容部Ｈ２を構成するＩＣタグ収容半体Ｈ１’側から挿入され、ＩＣタグ収容半体Ｈ２’からは、挿入されないように構成されている。
【００５７】
なお、上述した実施例には、四方差しの合成樹脂製パレットＰ１、Ｐ２が示されているが、二方差しの合成樹脂製パレットに、上述した構成を有するＩＣタグ収容部Ｈ１、Ｈ２を形成することができる。
【００５８】
デッキｐ１の裏面に、ＩＣタグ収容半体Ｈ１’、Ｈ２’が、一体成形された一対のスキッドＰ１’、Ｐ２’を溶着することにより、上方に位置するスキッドＰ１’、Ｐ２’に一体成形されたＩＣタグ収容半体Ｈ１’、Ｈ２’と下方に位置するスキッドＰ１’、Ｐ２’に一体成形されたＩＣタグ収容半体Ｈ１’、Ｈ２’とにより、ＩＣタグＴが取り付けられるＩＣタグ収容部Ｈ１、Ｈ２とが形成されているので、従来の合成樹脂製パレットのように、ＩＣタグホルダーを、別途、製造し、合成樹脂製パレットに取り付ける必要がないので、合成樹脂製パレットへのＩＣタグホルダーの取り付け作業に要する時間と労力を省略することができ、ひいては、合成樹脂製パレットの製造コストを低減することができる。
【００５９】
デッキｐ１の裏面に、ＩＣタグ収容半体Ｈ１’、Ｈ２’が、一体成形された一対のスキッドＰ１’、Ｐ２’を溶着することにより、上方に位置するスキッドＰ１’、Ｐ２’に一体成形されたＩＣタグ収容半体Ｈ１’、Ｈ２’と下方に位置するスキッドＰ１’、Ｐ２’に一体成形されたＩＣタグ収容半体Ｈ１’、Ｈ２’とにより、ＩＣタグＴが取り付けられるＩＣタグ収容部Ｈ１、Ｈ２とが形成されているので、合成樹脂製パレットＰ１、Ｐ２に取り付けられたＩＣタグＴが、剥き出しになるようなことがなく、従って、ＩＣタグＴが損傷するようなことがない。
【００６０】
下方に位置するＩＣタグ収容半体Ｈ１’のＩＣタグ垂直端部挿入縦長溝ｈ１を構成する幅広板部１の内面１ａと連結板部５の内面５ａとの間隔が、ＩＣタグ垂直端部挿入縦長溝ｈ１の中央部の間隔より広く構成されているので、上方に位置するＩＣタグ収容半体Ｈ１’の下端から排出されたＩＣタグＴの下端部ｔ３を、下方に位置するＩＣタグ収容半体Ｈ１’のＩＣタグ垂直端部挿入縦長溝ｈ１に、確実に、且つ、容易に挿入することができる。
【００６１】
上方に位置するＩＣタグ収容半体Ｈ１’の下端から排出されたＩＣタグＴの下端部ｔ３が、下方に位置するＩＣタグ収容半体Ｈ１’の幅広板部１の外面１ｃに形成された案内用縦リブ７の先端に形成された案内傾斜面７ａに沿って下降するように構成したので、従って、上方に位置するＩＣタグ収容半体Ｈ１’の下端から排出されたＩＣタグＴの下端部ｔ３を、下方に位置するＩＣタグ収容半体Ｈ１’のＩＣタグ垂直端部挿入縦長溝ｈ１に、より確実に、且つ、より容易に挿入することができる。
【００６２】
上方に位置するスキッドＰ１’、Ｐ２’と下方に位置するスキッドＰ１’、Ｐ２’との間に挿入された熱盤に、上方に位置するスキッドＰ１’、Ｐ２’の桁部の先端部及び下方に位置するスキッドＰ１’、Ｐ２’の桁部の先端部が接触する際には、上方に位置するスキッドＰ１’、Ｐ２’に形成されたＩＣタグ収容半体Ｈ１’、Ｈ２’の下端及び下方に位置するスキッドＰ１’、Ｐ２’に形成されたＩＣタグ収容半体Ｈ１’、Ｈ２’の上端が、いずれも、熱盤に接触しないように、上方に位置するスキッドＰ１’、Ｐ２’に形成されたＩＣタグ収容半体Ｈ１’、Ｈ２’と下方に位置するスキッドＰ１’、Ｐ２’に形成されたＩＣタグ収容半体Ｈ１’、Ｈ２’との間に、所定の間隙が形成されるように構成されているので、溶融樹脂が、ＩＣタグ収容半体Ｈ１’、Ｈ２’の内部に、ばり状に張り出し、一対のＩＣタグ収容半体Ｈ１’、Ｈ２’からなるＩＣタグ収容部Ｈ１、Ｈ２内へのＩＣタグＴの挿入が阻止されるようなことを防止することができる。
【００６３】
次に、図１５及び図１６を用いて、更に別の実施例について説明する。
【００６４】
この実施例は、上述した４つの区画領域Ａ１〜Ａ４にそれぞれ形成された同一形状の４つのＩＣタグ収容半体Ｈ１’のうち、一方の対角線Ｌ３上に位置する相対するＩＣタグ収容半体Ｈ１’を、以下のようなＩＣタグ収容半体Ｈ３’としたものである。
【００６５】
ＩＣタグ収容半体Ｈ３’は、デッキｐ１の裏面に垂設された偏平状の角筒体１００を有しており、角筒部１００は、相対する幅広板部１００ａと相対する幅狭板部１００ｂとから構成されているとともに、ＩＣタグ収容半体Ｈ３’の角筒部１００を構成する相対する幅広板部１００ａと相対する幅狭板部１００ｂにより囲まれたデッキｐ１の領域には、ＩＣタグ収容半体Ｈ３’の内部空間の水平断面と同一形状のＩＣタグ挿入口ｐ１ｃが形成されている。なお、幅広板部１００ａの中央部には、上端から下方に延在する略Ｖ状の凹部１００ａ’が形成されている。
【００６６】
また、ＩＣタグ収容半体Ｈ３’には、相対する幅広板部１００ａの下部領域を架橋する停止板１００ｃが形成されており、停止板１００ｃには、その上端部から下方に延在するＶ状凹部１００ｃ’が形成されている。停止板１００ｃは、幅狭板部１００ｂと略平行に、１枚或いは２枚以上配設することができる。本実施例には、２枚の停止板１００ｃが配設されている例が示されている。
【００６７】
本実施例の合成樹脂製パレットＰ３も、上述した実施例における合成樹脂製パレットＰ１と同様に、ＩＣタグ収容半体Ｈ１’とＩＣタグ収容半体Ｈ３’が形成されているスキッドＰ３’を溶着することにより製造されることになり、上方に位置するスキッドＰ３’に形成されたＩＣタグ収容半体Ｈ１’と下方に位置するスキッドＰ３’に形成されたＩＣタグ収容半体Ｈ３’とにより、ＩＣタグ収容部Ｈ３が構成され、また、上方に位置するスキッドＰ３’に形成されたＩＣタグ収容半体Ｈ３’と下方に位置するスキッドＰ３’に形成されたＩＣタグ収容半体Ｈ１’とにより、ＩＣタグ収容部Ｈ３が構成されることになる。
【００６８】
また、合成樹脂製パレットＰ３に形成された、ＩＣタグ収容半体Ｈ１’とＩＣタグ収容半体Ｈ３’とからなるＩＣタグ収容部Ｈ３へ、カード状のＩＣタグＴを収容する場合には、上述した実施例と同様に、上方に位置するスキッドＰ３’に形成されたＩＣタグ収容半体Ｈ１’のＩＣタグ挿入口ｐ１ａ及びＩＣタグ収容部Ｈ１の上方に、ＩＣタグＴを配置するとともに、ＩＣタグＴの下端部ｔ３を、ＩＣタグ挿入口ｐ１ａに挿入し、次いで、ＩＣタグＴの両垂直端部ｔ１の下端部を、上方に位置するＩＣタグ収容半体Ｈ１’のＩＣタグ垂直端部挿入縦長溝ｈ１に挿入することになる。
【００６９】
そして、上方に位置するＩＣタグ収容半体Ｈ１’の下端から排出されたＩＣタグＴの下端部は、下方に位置するＩＣタグ収容半体Ｈ３’の角筒体１００に挿入されることになる。その後、下方に位置するＩＣタグ収容半体Ｈ３’の角筒体１００に挿入されたＩＣタグＴの下端部ｔ３は、相対する幅広板部１００ａの下部領域を架橋する停止板１００ｃに形成されているＶ状凹部１００ｃ’に挿入され、ＩＣタグＴのそれ以上の下降が阻止されることになる。このように、ＩＣタグＴの下端部ｔ３が、下方に位置するＩＣタグ収容半体Ｈ２’の角筒体１００内に形成された停止板１００ｃに形成されているＶ状凹部１００ｃ’の谷部に当接した際には、ＩＣタグＴの上端部ｔ４は、上述した実施例と同様に、上方に位置するＩＣタグ収容半体Ｈ１’に形成された固定ブロック６から外れて、水平面６ｃの直下に位置するように構成されている。
【００７０】
なお、この実施例においては、ＩＣタグＴは、ＩＣタグ収容部Ｈ３を構成するＩＣタグ収容半体Ｈ１’側から挿入され、ＩＣタグ収容半体Ｈ３’からは、挿入されないように構成されている。
【００７１】
更に、ＩＣタグ収容半体Ｈ１’、Ｈ２’、Ｈ３’が形成されているデッキｐ１の中央桁ｐ４付近には、水抜き孔ｐ１”を形成することが好ましい。このような水抜き孔ｐ１”を形成することにより、合成樹脂製パレットＰ１、Ｐ２、Ｐ３内に、雨水や洗浄水等が溜まることを防止することができる。
【図面の簡単な説明】
【００７２】
【図１】図１は、本発明の合成樹脂製パレットの斜視図である。
【図２】図２は、本発明の合成樹脂製パレットのＩＣタグ収容部付近の部分斜視図である。
【図３】図３は、本発明の合成樹脂製パレットのＩＣタグ収容部付近の部分拡大斜視図である。
【図４】図４は、本発明の合成樹脂製パレットのＩＣタグ収容部付近の垂直断面を含む部分拡大斜視図である。
【図５】図５は、本発明の合成樹脂製パレットのＩＣタグ収容部を構成するＩＣタグ収容半体の拡大斜視図である。
【図６】図６は、本発明の合成樹脂製パレットのＩＣタグ収容部を構成するＩＣタグ収容半体の垂直断面を含む拡大斜視図である。
【図７】図７は、本発明の合成樹脂製パレットのＩＣタグ収容部付近の部分斜視図である。
【図８】図８は、本発明の合成樹脂製パレットの中央桁付近の拡大平面図である。
【図９】図９は、本発明の合成樹脂製パレットのＩＣタグ収容部を構成するＩＣタグ収容半体のＩＣタグが取り付けられた状態の垂直断面を含む拡大斜視図である。
【図１０】図１０は、ＩＣタグが取り付けられた状態の本発明の合成樹脂製パレットのＩＣタグ収容部付近の部分斜視図である。
【図１１】図１１は、本発明の別の実施例の合成樹脂製パレットのＩＣタグ収容部付近の部分斜視図である。
【図１２】図１２は、図１１に示されている本発明の別の実施例の合成樹脂製パレットのＩＣタグ収容部付近の部分拡大斜視図である。
【図１３】図１３は、図１１に示されている本発明の別の実施例の合成樹脂製パレットのＩＣタグ収容部付近の垂直断面を含む部分拡大斜視図である。
【図１４】図１４は、ＩＣタグが取り付けられた状態の図１１に示されている本発明の別の実施例の合成樹脂製パレットのＩＣタグ収容部付近の垂直断面を含む部分拡大斜視図である。
【図１５】図１５は、本発明の更に別の実施例の合成樹脂製パレットのＩＣタグ収容部付近の部分斜視図である。
【図１６】図１６は、図１５に示されている本発明の更に別の実施例の合成樹脂製パレットを構成するＩＣタグ収容半体の拡大斜視図である。
【符号の説明】
【００７３】
Ｈ１、Ｈ２、Ｈ３・・・・・・・・・ＩＣタグ収容部
ｈ１・・・・・・・・・・・・・・・ＩＣタグ垂直端部挿入縦長溝
Ｈ１’、Ｈ２’、Ｈ３’・・・・・・ＩＣタグ収容半体
Ｐ１、Ｐ２、Ｐ３・・・・・・・・・合成樹脂製パレット
ｐ１・・・・・・・・・・・・・・・デッキ
Ｐ１’、Ｐ２’、Ｐ３’・・・・・・スキッド
Ｔ・・・・・・・・・・・・・・・・ＩＣタグ
１・・・・・・・・・・・・・・・・幅広板部
２・・・・・・・・・・・・・・・・幅狭板部
３、４・・・・・・・・・・・・・・側板部
５・・・・・・・・・・・・・・・・連結板部
６・・・・・・・・・・・・・・・・固定ブロック
７・・・・・・・・・・・・・・・・案内用縦リブ
１０、１００・・・・・・・・・・・角筒部
１１・・・・・・・・・・・・・・・停止ブロック
１００ｃ・・・・・・・・・・・・・停止板
【図１】
0005010412.tif 000002
【図２】
0005010412.tif 000003
【図３】
0005010412.tif 000004
【図４】
0005010412.tif 000005
【図５】
0005010412.tif 000006
【図６】
0005010412.tif 000007
【図７】
0005010412.tif 000008
【図８】
0005010412.tif 000009
【図９】
0005010412.tif 000010
【図１０】
0005010412.tif 000011
【図１１】
0005010412.tif 000012
【図１２】
0005010412.tif 000013
【図１３】
0005010412.tif 000014
【図１４】
0005010412.tif 000015
【図１５】
0005010412.tif 000016
【図１６】
0005010412.tif 000017